(57)【要約】【課題】複数の送信先にスキャンデータを送信する場合に、ＣＰＵの処理負荷を軽減することができる画像処理装置、端末装置及びスキャンデータ転送システムを提供する。【解決手段】スキャンデータ転送プログラムを開始すると、送信先のフォルダ情報及び選択された保存ファイル形式を記憶した後、原稿をスキャンし、スキャンデータをファイル形式変換して保存する（S101〜S106）。次に、送信先のフォルダが複数ある場合、送信先の一つのパソコンを選択し、スキャンデータの格納場所情報と送信先のフォルダ情報のみを送信する（S107〜S109）。そして、送信先のパソコンが他の送信先へのスキャンデータの転送処理を行うので、処理を分散することができ、画像処理装置のＣＰＵ負荷を軽減することができる。【選択図】図５
2009159213.tif 000002
【特許請求の範囲】
【請求項１】
原稿画像をスキャンするスキャン部と、上記スキャン部が原稿画像をスキャンしたスキャンデータを格納するスキャンデータ格納部と、通信ネットワークに接続された端末装置との間のネットワーク処理を行うネットワーク制御部と、上記各部を制御する制御部とを備えた画像処理装置であって、
スキャンデータの複数の端末装置への送信を指示したスキャン実行指示があったとき、上記制御部が、上記スキャン部により原稿画像をスキャンし、スキャンデータを上記スキャンデータ格納部に格納するとともに、上記スキャンデータ格納部でのスキャンデータの格納場所情報と送信先情報のみを、上記ネットワーク制御部により複数の送信先の一つに送信することを特徴とする画像処理装置。
【請求項２】
請求項１に記載された画像処理装置において、
画像データのファイル形式を変換するファイル形式変換部を備え、上記制御部が、上記スキャン部によりスキャンした画像データを上記ファイル形式変換部により複数のファイル形式の中から選択されたファイル形式に変換し、スキャンデータとして上記スキャンデータ格納部に格納することを特徴とする画像形成装置。
【請求項３】
請求項１または請求項２に記載された画像処理装置に通信ネットワークを介して接続される端末装置であって、
画像格納部と、ネットワーク制御部と、上記各部を制御する制御部とを備え、
上記画像処理装置からスキャンデータの格納場所情報と送信先情報を受信したとき、上記制御部が、スキャンデータの格納場所情報に基づいてスキャンデータを上記画像処理装置から取得して上記画像格納部に格納するとともに、上記送信先情報に他の送信先が含まれている場合、上記画像格納部でのスキャンデータの格納場所情報と送信先情報を上記ネットワーク制御部により他の送信先の一つに送信することを特徴とする端末装置。
【請求項４】
請求項１または請求項２に記載された画像処理装置と請求項３に記載された端末装置とが通信ネットワークを介して接続されていることを特徴とするスキャンデータ転送システム。
【発明の詳細な説明】
【技術分野】
【０００１】
本発明は、スキャン画像をネットワーク経由で転送する機能を備えた画像処理装置、端末装置及びスキャンデータ転送システムに関する。
【背景技術】
【０００２】
画像処理装置、例えば、デジタル複合機は、本来のコピー機能、ファクシミリ機能に加えて、通信ネットワークを介して接続されたパソコン等から送られる画像情報を他のファクシミリ装置へ送信する機能を備えている。また、このデジタル複合機はパソコン等から送られる画像情報をプリントアウトするプリンタ機能も備えている。
【０００３】
このようなデジタル複合機において、デジタル複合機本体からの操作で、スキャンデータをネットワーク経由でパソコンのフォルダに転送するScan To Folder機能が考えられている（例えば、特許文献１参照）。
【特許文献１】特開２００２−７７１７７号公報
【０００４】
このScan To Folder機能では、ネットワーク接続されているパソコンのフォルダ及びデジタル複合機の共有フォルダをリストアップし、その中からユーザに所望のフォルダを指定させて、スキャンしたデータをネットワークを介して転送することになる。
【発明の開示】
【発明が解決しようとする課題】
【０００５】
上記のようにスキャンデータをネットワーク経由でパソコンに転送する場合、複数のパソコンのフォルダへのスキャンデータの送信が指示されると、デジタル複合機が指定された複数のフォルダにスキャンデータを順次送信する必要がある。
このため、複数のパソコンにスキャンデータを送り込んでいる間、デジタル複合機ならびにネットワーク制御部としてはＣＰＵパワーを占有されることになり、他の事象が発生して処理しようとしても、なかなか処理できないという問題が発生する。
【０００６】
本発明は、上記の問題に鑑みてなされたもので、複数の送信先にスキャンデータを送信する場合に、ＣＰＵの処理負荷を軽減することができる画像処理装置、端末装置及びスキャンデータ転送システムを提供することを目的とする。
【課題を解決するための手段】
【０００７】
上述の目的を達成するため、本発明の画像形成装置は、原稿画像をスキャンするスキャン部と、上記スキャン部が原稿画像をスキャンしたスキャンデータを格納するスキャンデータ格納部と、通信ネットワークに接続された端末装置との間のネットワーク処理を行うネットワーク制御部と、上記各部を制御する制御部とを備えた画像処理装置であって、スキャンデータの複数の端末装置への送信を指示したスキャン実行指示があったとき、上記制御部が、上記スキャン部により原稿画像をスキャンし、スキャンデータを上記スキャンデータ格納部に格納するとともに、上記スキャンデータ格納部でのスキャンデータの格納場所情報と送信先情報のみを、上記ネットワーク制御部により複数の送信先の一つに送信することを特徴とする。
また、本発明の他の画像処理装置は、上記の画像処理装置において、画像データのファイル形式を変換するファイル形式変換部を備え、上記制御部が、上記スキャン部によりスキャンした画像データを上記ファイル形式変換部により複数のファイル形式の中から選択されたファイル形式に変換し、スキャンデータとして上記スキャンデータ格納部に格納することを特徴とする。
【０００８】
さらに、本発明の端末装置は、上記の画像処理装置に通信ネットワークを介して接続される端末装置であって、画像格納部と、ネットワーク制御部と、上記各部を制御する制御部とを備え、上記画像処理装置からスキャンデータの格納場所情報と送信先情報を受信したとき、上記制御部が、スキャンデータの格納場所情報に基づいてスキャンデータを上記画像処理装置から取得して上記画像格納部に格納するとともに、上記送信先情報に他の送信先が含まれている場合、上記画像格納部でのスキャンデータの格納場所情報と送信先情報を上記ネットワーク制御部により他の送信先の一つに送信することを特徴とする。
また、本発明のスキャンデータ転送システムは、上記の画像処理装置と上記の端末装置とが通信ネットワークを介して接続されていることを特徴とする。
【発明の効果】
【０００９】
本発明の画像処理装置は、スキャンデータの格納場所情報と送信先情報のみを送信先の一つの端末装置に送信し、本発明の端末装置が他の送信先に自装置のスキャンデータの格納場所情報と送信先情報を送信する。このように、本発明の画像処理装置、端末装置及びスキャンデータ転送システムによれば、スキャンデータの転送処理が端末装置と分担して行われるので、処理を分散することができ、画像処理装置のＣＰＵの負荷を軽減することができる。
【実施例】
【００１０】
以下、本発明の画像処理装置をデジタル複合機に適用した実施例について、図面を用いて説明する。図１はデジタル複合機を備えたシステムのネットワーク構成例を示す図であり、図２はデジタル複合機のハードウェア構成を示すブロック図である。
【００１１】
図１に示すネットワーク構成図において、１はデジタル複合機（ＭＦＰ）、２、３、４・・・はパソコン、５は公衆交換電話網（ＰＳＴＮ）、６はＬＡＮ、７はインターネット網である。
【００１２】
デジタル複合機１はコピーモード、プリンタモード、ファクスモードの各機能を備え、ＰＳＴＮ５及びＬＡＮ６に接続されており、このＬＡＮ６に端末装置として複数のパソコン２、３、４・・・が接続されている。また、このＬＡＮ６はインターネット網７にも接続されており、デジタル複合機１はこのインターネット網７を介してメールの送受信を行うことが可能である。
【００１３】
図２はデジタル複合機１の制御系の構成を示す概略ブロック図であり、ＣＰＵ１１はバス２５を介してデジタル複合機１のハードウェア各部を制御するとともに、ＲＯＭ１２に記憶されたプログラムに基づいて各種のプログラムを実行する。ＲＯＭ１２はデジタル複合機の動作に必要な種々のプログラム及び操作メッセージ等を予め記憶し、ＲＡＭ１３はＳＲＡＭ等で構成され、プログラムの実行時に発生する一時的なデータを記憶する。
【００１４】
表示部１４は、デジタル複合機の動作状態の表示及び種々の機能の操作画面の表示を行う表示器よりなり、操作部１５は、デジタル複合機を操作するための多数の操作キーから構成されている。
図３はこの表示部１４と操作部１５の詳細な構成を示す図である。表示部１４を構成するＬＣＤ表示部３１には、タッチパネルスイッチが配設され、ＬＣＤ表示部３１に表示された項目部分を押下することで、対応する項目の選択や機能の実行を行うことができる。
【００１５】
また、操作キーとして、テンキー３２、スタートキー３３、リセットキー３４、ストップキー３５、複数のワンタッチダイヤルキー３６、十字キー３７、リターンキー３８、セットキー３９が設けられている。さらに、機能切替キーとして、ＦＡＸ切替キー４０、コピー切替キー４１、スキャナ切替キー４２が設けられている。なお、ＬＣＤ表示部３１によりこれらの操作キーあるいは機能切替キーの一部又は全部を代用することも可能である。
【００１６】
読取部１６はＣＣＤ等を利用したスキャナで原稿を読み取り、カラーまたはモノクロのドットイメージデータを出力する。また、画像メモリ１７は、ＤＲＡＭ等を用いて構成され、送信すべき画像データまたは受信した画像データあるいは読取部１６で読み取った画像データを記憶する。
【００１７】
記録部１８は電子写真方式等のプリンタ装置を備え、受信した画像データ、コピー原稿データあるいはホスト端末２、３、４・・・から送信されたプリントデータをプリントアウトする。
コーデック１９は所定のプロトコルに対応して符号化及び復号するものであり、読み取った原稿の画像データを送信するためにＭＨ、ＭＲまたはＭＭＲ方式により符号化し、外部から受信した画像データを復号する。また、このコーデック１９は、画像データをＰＤＦ、ＪＰＥＧ、あるいは、電子メールに添付可能なファイルとして一般的に利用される画像フォーマットであるＴＩＦＦ等のファイル形式に変換する機能も備えている。
【００１８】
モデム２０はバス２５に接続されており、ファクシミリ通信が可能なファックスモデムとしての機能を有し、このモデム２０は同様にバス２５に接続されたＮＣＵ２１と接続されている。ＮＣＵ２１はアナログ回線の閉結及び開放の動作を行うハードウェアであり、必要に応じてモデム２０をＰＳＴＮ５に接続する。
【００１９】
また、スキャンデータ格納部２２は、ファイル形式変換されたスキャンデータを保存するものであり、ネットワーク制御部２３はパソコン２、３、４等との接続処理、データの送受信処理等を実行する。
ＬＡＮインターフェース２４（Ｉ／Ｆ）はＬＡＮ６に接続され、パソコン２、３、４・・・からのデータあるいはインターネット網７からのデータをＬＡＮ６を介して受信する。また、このＬＡＮインターフェース２４は、ＬＡＮ６に対してデータの送信も行うものであり、信号変換あるいはプロトコル変換などのインターフェース処理を実行する。
【００２０】
デジタル複合機１は上記のように構成されており、ファクシミリ送信時には、原稿の画像が読取部１６で読み取られ、コーデック１９で圧縮されて画像メモリ１７に蓄積される。この圧縮された画像データが画像メモリ１７から読み出されてモデム２０で変調され、ＮＣＵ２１からＰＳＴＮ５を通して通信相手先に送信される。また、ファクシミリ受信時には、受信した画像データがモデム２０で復調され、画像メモリ１７に蓄積された後、コーデック１９で復号されて記録部１８により印刷される。
【００２１】
一方、図４はデジタル複合機１にＬＡＮ６を介して接続されるパソコン２、３、４等の構成を示す概略ブロック図である。ＣＰＵ５１は、バス５９を介してパソコン２のハードウェア各部を制御するとともに、ＲＯＭ５２に記憶されたソフトウェアプログラムに基づいて各種のプログラムを実行する。また、ＲＡＭ５３はＳＲＡＭ等で構成され、プログラムの実行時に発生する一時的なデータを記憶する。
【００２２】
表示部５４は、液晶表示装置（ＬＣＤ）等の表示装置であり、入力部５５はパソコン２を操作するためのキーボードである。ハードディスクドライブ（ＨＤＤ）５６は記憶媒体を内蔵する記憶装置で、各種の機能のプログラムを格納するとともに、様々なデータを記憶する。このＨＤＤ５６には、デジタル複合機からスキャン情報が送信されてきた時に画像受信処理を行うソフトウェアがインストールされているとともに、スキャンデータを格納する画像格納領域が設けられている。また、ネットワーク処理部５７はデジタル複合機１等との接続処理、データの送受信処理等を実行し、ＬＡＮインターフェース５８はＬＡＮ６に接続され、上記のＬＡＮインターフェース２４と同様な働きをする。
【００２３】
次に、デジタル複合機１において、スキャンデータを複数のパソコンに転送する場合の作用について説明する。
ユーザがスキャン原稿を読取部１６にセットした後、ＬＣＤ表示部３１に表示された機能選択画面でスキャンデータの転送を選択した場合、デジタル複合機のＣＰＵ１１は図５のフローチャートに示すスキャンデータ転送プログラムを開始する。
【００２４】
このスキャンデータ転送プログラムを開始した場合、ＣＰＵ１１は、まず、ＬＣＤ表示部３１に送信先フォルダ選択画面を表示する（ステップ１０１）。
図６は、上記の送信先フォルダ選択画面の一例であり、図に示すように、スキャンデータの送信先のフォルダ選択欄と、スキャンデータを保存するファイル形式の選択欄と、「スキャン」ボタン、及び、「中止ボタン」が表示されている。
【００２５】
送信先のフォルダとしては、デジタル複合機（ＭＦＰ）１のスキャンデータ格納部２２に設定された共有フォルダと、その時点でＬＡＮ６に接続されているパソコンのネットワーク上で公開されているフォルダの中から一つまたは複数を選択することができる。また、ファイル形式としては、ＴＩＦＦ、ＰＤＦ及びＪＰＥＧの中から一つを選択することができる。
【００２６】
送信先フォルダ選択画面を表示した後、ＣＰＵ１１は、送信先フォルダ選択画面の「スキャン」ボタンが押下されたか否かを判定する（ステップ１０２）。「スキャン」ボタンが押下されていないと判定した場合、ＣＰＵ１１は、「中止」ボタンが押下されたか否かを判定し（ステップ１０３）、「中止」ボタンが押下されたと判定した場合、プログラムを終了する。また、「中止」ボタンが押下されていないと判定した場合、ＣＰＵ１１は、ステップ１０２に戻り、「スキャン」ボタンが押下されたか否かを判定する。
【００２７】
そして、ステップ１０２で「スキャン」ボタンが押下されたと判定した場合、ＣＰＵ１１は、送信先フォルダ選択画面で選択された送信先のフォルダ情報及び選択された保存ファイル形式をＲＡＭ１３記憶する（ステップ１０４）。このとき、ＣＰＵ１１は、送信先フォルダの情報をＵＲＩ（Uniform Resource Identifier）形式、例えば、”\\kuwahara\Scan”、”\\tachibana\temp”としてＲＡＭ１３に記憶する。
【００２８】
次に、ＣＰＵ１１は、読取部１６にセットされた原稿を読取部１６で読み取り、読み取った画像データをコーデック１９で符号圧縮処理した後、圧縮した画像データを画像メモリ１７に記憶する（ステップ１０５）。この後、ＣＰＵ１１は、画像メモリ１７に記憶された符号化データをコーデック１９により送信先フォルダ選択画面で選択されたファイル形式、例えば、ＴＩＦＦ形式に変換し、スキャンデータとしてスキャンデータ格納部２２に保存する（ステップ１０６）。なお、このファイル形式変換したスキャンデータの保存時のＩＰアドレスとして、スキャン日時を使用し、例えば、\\Scan\200712241630.tifを設定し、フォルダ下に格納する。
【００２９】
ファイル形式を変換してスキャンデータを保存した後、ＣＰＵ１１は、ＲＡＭ１３に記憶された送信先のフォルダが複数あるか否かを判定する（ステップ１０７）。送信先が一つである場合、ＣＰＵ１１は、ネットワーク制御部２３に送信先のパソコン、例えば、”tanaka”パソコンと接続させ、スキャンデータの格納場所情報、すなわち、\\MFP\Scan\200712241630.tifと、送信先のフォルダ情報を送出し（ステップ１０８）、プログラムを終了する。
【００３０】
一方、ステップ１０７で送信先が複数あると判定した場合、ＣＰＵ１１は、送信先のパソコンの一つ、例えば、”kuwahara”パソコンを選択する（ステップ１０９）。次に、ＣＰＵ１１は、ネットワーク制御部２３に”kuwahara”パソコンと接続させ、スキャンデータの格納場所情報、すなわち、\\MFP\Scan\200712241630.tifと、送信先のフォルダ情報を送出し（ステップ１０８）、プログラムを終了する。
【００３１】
次に、スキャンデータの格納場所情報と送信先のフォルダ情報をパソコンが受け取った場合の、パソコン側の作用を図７のフローチャートにより説明する。
パソコンが起動されている場合、パソコンのＣＰＵ５１は、常時、図７のフローチャートに示すスキャンデータ転送プログラムを実行している。このプログラムの実行中、ＣＰＵ５１は、ネットワーク制御部５７がスキャンデータの格納場所情報及び送信先のフォルダ情報よりなるスキャン情報を受け取ったか否かを判定している（ステップ２０１）。
【００３２】
スキャン情報を受け取ったと判定した場合、ＣＰＵ５１は、スキャンデータの格納場所情報及び送信先のフォルダ情報をＲＡＭ５３に記憶する（ステップ２０２）。次に、ＣＰＵ５１は、スキャンデータの格納場所情報に基づいて、ネットワーク制御部５７によりスキャンデータを取得し、送信先フォルダ情報に記載された保存先に格納する（ステップ２０３）。すなわち、ＣＰＵ５１はデジタル複合機１のスキャンデータ格納部２２に格納されたスキャンデータ\\Scan\200712241630.tifを取得し、送信先フォルダ情報に記載された自パソコンの保存先、例えば、”\\kuwahara\Scan”に格納する。
【００３３】
次に、ＣＰＵ５１は、受け取った送信先のフォルダ情報に基づいて自パソコン以外の送信先があるか否かを判定し（ステップ２０４）、自パソコン以外の送信先がないと判定した場合、プログラムを終了する。一方、ステップ２０４で自パソコン以外の送信先があると判定した場合、残りの送信先の一つのパソコン、例えば、”\\tachibana”を選択する（ステップ２０５）。次に、ＣＰＵ５１は、ネットワーク制御部５７に”tachibana”パソコンと接続させ、スキャンデータの自パソコンでの格納場所情報と、自パソコン以外の残りの送信先のフォルダ情報を”tachibana”パソコンに送出させた（ステップ）後、プログラムを終了する。これにより、”tachibana”パソコンが\\kuwahara\Scan\200712241630.tifの格納場所情報と、送信先のフォルダ情報を受け取り、スキャンデータの取得と他の送信先への転送処理を実行する。
【００３４】
以上のように、デジタル複合機は、パソコンのフォルダならびに共有フォルダをリストアップするブラウジング機能はネットワーク制御部を用いて行うが、スキャンデータの転送処理はパソコンにインストールされているソフトウェアと分担して行う。したがって、複数のパソコンにスキャンデータを送信する場合、スキャンデータの転送処理が分散され、デジタル複合機のＣＰＵ負荷が軽減されるので、他の事象の処理が発生した場合、デジタル複合機が円滑に他の処理を実行することができる。
【００３５】
なお、上記の実施例では、ネットワーク経由でのスキャンデータ転送機能をデジタル複合機の操作部から実行するようにしたが、ネットワークを経由してパソコンからスキャンデータ転送機能を実行できるようにすることも可能である。
また、上記の実施例では、スキャン画像をファイル変換する形式としてＴＩＦＦ、ＰＤＦ、ＪＰＥＧを例として説明したが、他の形式のファイル変換方式を採用することもできる。
【図面の簡単な説明】
【００３６】
【図１】デジタル複合機を備えたシステムのネットワーク構成例を示す図である。
【図２】本発明の画像形成装置を適用したデジタル複合機のハードウェア構成を示すブロック図である。
【図３】表示部と操作部の詳細な構成を示す図である。
【図４】パソコンのハードウェア構成を示すブロック図である。
【図５】スキャンデータを転送する場合の作用を示すフローチャートである。
【図６】送信先のフォルダ選択画面の一例である。
【図７】スキャン情報を受け取ったパソコン側の作用を示すフローチャートである。
【符号の説明】
【００３７】
１  デジタル複合機
２、３、４  パソコン
５  ＰＳＴＮ
６  ＬＡＮ
７  インターネット網
１１  ＣＰＵ
１２  ＲＯＭ
１３  ＲＡＭ
１４  表示部
１５  操作部
１６  読取部
１７  画像メモリ
１８  記録部
１９  コーデック
２０  モデム
２１  ＮＣＵ
２２  スキャンデータ格納部
２３  ネットワーク制御部
２４  ＬＡＮ  Ｉ／Ｆ
２５  バス
【図１】
2009159213.tif 000003
【図２】
2009159213.tif 000004
【図３】
2009159213.tif 000005
【図４】
2009159213.tif 000006
【図５】
2009159213.tif 000007
【図６】
2009159213.tif 000008
【図７】
2009159213.tif 000009